(57)【要約】【課題】  複数個の飾りリングを緊密に接続することができ、また、自由に回転させることができるペン軸の変化が多いペンを提供する。【解決手段】  複数個の飾りリング２をペン軸に嵌め、弾性支える装置をペン軸１の前端又は後端の位置に嵌めて結び付けることで、複数個の飾りリング２が弾性ユニット３２に支えられるため、通常の場合、緊密に接続することになるが、その弾性支える装置が圧迫される場合、飾りリング２が相互に支えることを解除することによって、飾りリング２が自由に回転できる。又、その飾りリング２の外部周辺の壁に自由に選んだ色、符号、模様又は形状を設けてあるので、飾りリング２を回転させて調整した後、ペンの形態を変更する目的を達成できる。そのため、ペン軸１の外観に自由に変化できる異なる組立様態を持つことができる。【選択図】    図１
0003113222.tif 000002
【実用新案登録請求の範囲】
【請求項１】
ペン軸、複数個の飾りリング、及び弾性支える装置を含み、
ペン軸は、ペンの芯を貫通して置くことが可能な中空のパイプであり、
複数個の飾りリングは、それを順序によって、ペン軸の上に嵌めることで、複数個の飾りリングが緊密にペン軸に接続され、
弾性支える装置は、外部リング、弾性ユニット、及び内部リングで構成され、
外部リングは、内部段差のある穴を持ち、順序によって弾性ユニット及び内部リングを入れることで、外部リングと内部リングとを相対に嵌めて、弾性ユニットが内部に挟んで置かれ、
上述の構造によって、複数個の飾りリングをペン軸に嵌め、弾性支える装置をペン軸の前端又は後端の位置に嵌めて結び付けることで、複数個の飾りリングが弾性ユニットに支えられるため、緊密に接続し、調整する場合、その飾りリングを弾性支える装置の方向へ押して動かせば、弾性支える装置が圧迫され、飾りリングは支えられることを解除されて分離の状態になることを特徴とするペン軸の変化が多いペン。
【請求項２】
前記ペン軸の前端に段差がある円錐状のペンキャップがあることを特徴とする請求項１に記載のペン軸の変化が多いペン。
【請求項３】
前記飾りリングの外部周辺の壁に自由に選んだ色、符号、模様又は形状を設けてあることを特徴とする請求項１に記載のペン軸の変化が多いペン。
【請求項４】
前記飾りリングの外部周辺の壁に色分けした格子模様があることを特徴とする請求項１に記載のペン軸の変化が多いペン。
【請求項５】
前記飾りリングの前、後端の内壁にそれぞれマッチングで対応する複数個のコンベックス歯及びコンケーブスロットが設けられることを特徴とする請求項１に記載のペン軸の変化が多いペン。
【請求項６】
前記弾性支える装置が嵌めるリングに貫通して結び付くことで、その嵌めるリングをペンの芯及びペン軸の末端にあるペンキャップ又はペンキャップの中での回転駆動ユニットと接続することが可能であることを特徴とする請求項１に記載のペン軸の変化が多いペン。
【請求項７】
前記飾りリングの外部周辺の壁に嵌めるスロットを設けることで、相互にマッチングする飾りブロックと嵌めて結びつけることが可能であることを特徴とする請求項１に記載のペン軸の変化が多いペン。
【請求項８】
前記飾りリングに爪車スロットが設けられ、前記爪車スロットとリングの開口サイドに予めリング隙間を設け、又、前記ペン軸がリング隙間と対応する位置に、一つ又は一つ以上のコンベックス歯又はコンベックスリングを予め設け、リングの隙間がコンベックス歯と対応することを呈することを特徴とする請求項１に記載のペン軸の変化が多いペン。
【考案の詳細な説明】
【技術分野】
【０００１】
本考案はペン軸の変化が多いペンに関する設計である。特に、複数個の回転できる飾りリングをペン軸に嵌めることで構成されるペンを指すものである。
【背景技術】
【０００２】
従来のペンについて、ボールペン、万年筆、鉛筆、サインペン又はカーラーペン等のいろいろなペンを含み、そのペン軸の構造、外観又は形状がすべて固定の様態を呈するので、その造型又は外観はすべて変化に乏しいものである。又、同一種類のペンの外観形態が完全に同じなので、使用者が予めペン軸又は選定する場所にラベルを貼るか、マークをつけなければ、同一種類のペンを使う別々の使用者が、自分のペンであるかどうかを判断できない。そのため、従来の変化に乏しいペンを使う場合、使用者の意思で自由にその外観を変更することが出来ないので、自分風を表現することが出来ない。本考案の設計者は、すでに、改めて組立てることでペン軸の外観を変更できる設計を提出した。即ち、平成１５（２００３）年１０月０８日を申請日とする特許文献１である。特許文献１に開示されている考案のポイントは、ペン軸に複数個の飾りリングを嵌めることで、その飾りリングの回転を利用して、ペン軸の外観を改めて組立てることできることである。
【０００３】
【特許文献１】実用新案登録第３１００９１８号
【考案の開示】
【考案が解決しようとする課題】
【０００４】
上述の申請者の設計は合理的で実用性を持つ。それは各飾りリングを貫通して結びつけた後、適切な緊密度を持って、それぞれの飾りリングを相互に緊密に貼り付けることができるし、相対に回転することも出来るが、飾りリングが滑る事を防止するため、上述の交差の緊密を利用しなければならない。
【課題を解決するための手段】
【０００５】
上記目的を達成するため、本考案に係るペン軸の変化が多いペンは、複数個の飾りリングをペン軸に嵌め、弾性支える装置をペン軸の前端又は後端の位置に嵌めて結び付けることで、複数個の飾りリングが弾性ユニットに支えられるため、通常の場合、緊密に接続することになるが、その弾性支える装置が圧迫される場合、飾りリングが相互に支えることを解除することによって、飾りリングが自由に回転できる。又、その飾りリングの外部周辺の壁に自由に選んだ色、符号、模様又は形状を設けてあるので、飾りリングを回転させて調整した後、ペンの形態を変更する目的を達成できる。そのため、ペン軸の外観に自由に変化できる異なる組立様態を持つことができる。
【考案を実施するための最良の形態】
【０００６】
図１から図３に示すのは、本考案の第一実施例による「ペン軸の変化が多いペン」に関する設計である。その構成は、ペン軸１、複数個の飾りリング２及び弾性支える装置を含む。ペン軸１は、中空のパイプである。ペン軸の前端に段差がある円錐状のペンキャップ１１を持つことで、ペンの芯１２をその中に貫通させることができる。複数個の飾りリング２は、リング形体を呈する。それを順序によってペン軸１の上に嵌めるが、その外観の形状は制限されてない。例えば、円形リング（図参照）、三角リング、正方形リング、多角リング、又はその他の規則的または不規則な形状を使っても良い。更に、その外周の壁に自由に選んだ色、符号、模様又は形状を設ける。実施例の図に示す通りである。その上に色分けした格子模様２１、２２のある飾りリングが表示される。又、それぞれの飾りリング２の前、後端の内壁にそれぞれマッチングで対応する複数個のコンベックス歯２３及びコンケーブスロット２４（図４及び図５参照）が設けられるので、複数個の飾りリング２を貫通して緊密に嵌めて接続することが出来る。弾性支える装置は、外部リング３１、弾性ユニット３２及び内部リング３３で構成される。その外部リング３１は内部段差のある穴３１１を持ち、順序によって弾性ユニット３２及び内部リング３３を入れることで、外部リング３１と内部リング３３とを嵌め、弾性ユニット３２（弾性ユニット３２は伸縮スプリング又は金属製金具を使っても良い）が内部に挟んで置いてあるので、二つのリング３１、３３を押す場合、弾性ユニット３２が支えることで、相対的に変位する。又、必要に応じて、嵌めるリング３４を貫通して結び付けることもできる。その嵌めるリング３４を使って、ペンの芯１２及びペン軸１の末端のペンキャップ１３又はペンキャップ１３の中での回転駆動ユニット１３１と接続する。
【０００７】
上述の構造によって、複数個の飾りリング２を順にペン軸１に嵌め、弾性支える装置（実施例で表示するのは弾性支える装置をペン軸１の後端に結び付けるものである）をペン軸１の前端又は後端の位置に嵌めて結び付けることで、複数個の飾りリング２が弾性ユニットに支えられるため、緊密に接続する（図６参照）ことになる。調整する場合、その飾りリング２を弾性支える装置の方向へ押して動かせば、弾性支える装置の中での内部リング３３は外部リング３１の内部に段差のある穴３１１に押されて圧迫され、この時、飾りリング２が快速に離脱して分かれることで支える状態を解除でき（図７参照）、更に、離れる隙間Ａが生じて、飾りリング２を自由に回転でき、その飾りリング２の外部周辺の壁に自由に選んだ色、符号、模様又は形状を設けることで、飾りリング２を改めて組み立てて変更できるので、ペン軸１の外観に異なる組立の様態（図１、図２参照）を生じる。又、その組立てる様態に各種の異なる変化があるので、ペン軸１が十分に飾りリング２の回転調整を利用して、非常に多い組合せの変化を持つ。
【０００８】
図８又は図９は、上述の飾りリング２について、更に外部周辺の上に適切な嵌めるスロット２５ａ又は２５ｂを設け、相互にマッチングする飾りブロック２６ａ又は２６ｂを嵌めることで飾りリング２を構成できる。当然、その飾りブロック２６ａ又は２６ｂの表面に色、図、文字、符号、模様、又は線などを作成するか、あるいは、プリント又は彫刻技術を利用して、飾りブロック２６ａ又は２６ｂはもっと異なる変化を作成することが出来るし、その飾りブロック２６ａ又は２６ｂを自由に取外して交換できるので、自分風に作れ、個人専属の識別性を高めることも出来る。
【０００９】
図１０から図１３は、本考案の第二実施例による「ペン軸の変化が多いペン」である。それはペン軸１及び飾りリング２ａに再度変更を実施することで、それぞれの飾りリング２ａのリングの内部壁に爪車スロット２７ａを設け、その爪車スロット２７ａとリングの開口サイドに予めリング隙間Ｂを設ける。又、そのペン軸１がリング隙間Ｂと対応する位置に、一つ又は一つ以上のコンベックス歯１４ａ（又はコンベックスリング）を予め設けてあるので、その弾性支える装置が押させえられる場合、その隙間Ｂとペン軸１のコンベックス歯１４ａの位置がちょうど対応することになるので、飾りリング２ａの支える状態（図１３に示すように、更に、一つの離れる隙間Ａが生じる）を解除できる。又、通常の時、そのコンベックス歯１４ａを爪車スロット２７ａに嵌めることにより、ラッチして定位する（図１２参照）。
【００１０】
上記の実施例では、弾性支える装置を結びつけてペン軸１の後端に設けるが、弾性支える装置をペン軸１の前端（図１４参照）に結び付けて設けることもできる。弾性ユニット３２及び内部リング３３を順序によって、外部リング３１に置くことで、外部リング３１と内部リング３３とを相対に嵌めてから、嵌めるリング３４を貫通して結び付けて、その嵌めるリング３４がペンの芯１２及びペン軸１の前端にある円錐形のペンキャップ１１と接続することで、弾性支える装置を結び付けてペン軸１の前端に設けることが出来る。通常の場合、複数個の飾りリング２が弾性支える装置に支えられるため緊密に接続することを呈する。
【００１１】
図１５及び図１６は、本考案の第三実施例による「ペン軸の変化が多いペン」である。その弾性支える装置の構成は、外部リング３１ａと内部リング３３ａを反対方向で嵌めて結び付けることも出来るのである。又、その内部に一つの弾性ユニット３２を設けて、それを嵌めるリング３４が貫通することで、外部リング３１ａを飾りリングが支えることができる。又、それを押す場合、相対的な変位を生じて、飾りリング２の支える状態を解除することが出来る。本実施例は、自動的に伸縮できるペンに関するものである。そのペンキャップ１３の内部に回転駆動ユニット１３１を設けてあるので、その回転駆動ユニット１３１を嵌めるリング３４と一緒にロックして構成することができる。又、ペンの芯１２の前端にも一つの小さいスプリング１２１を嵌めて設けてある。上述は本考案を自動的に伸縮するペンに応用する一つの例である。それを利用して、その他の各種類のペンに応用しても難しくないので、すべてのペン軸の形態があるペンに本考案の技術を適用することが出来る。
【００１２】
（考案の効果）
本考案の主要な目的はペン軸の変化が多いペンを提供するものである。特に、弾性支える装置をペン軸の前端又は後端の位置に嵌めて結び付けることで、複数個の飾りリングが弾性ユニットに支えられるため、通常の場合、緊密で接続することになるが、飾りリングを回転する場合、その弾性支える装置を圧迫することで、その支える状態を解除することによって、飾りリングが自由に回転できるので、快速的に飾りリングを動かせることが出来る。又、その飾りリングの外部周辺の壁に自由に選んだ色、符号、模様又は形状を設けてあるので、飾りリングを回転させて調整した後、ペンの形態を変更する目的を達成できる。そのため、ペン軸の外観に自由に変化できる異なる組立様態を持つことができる。
【００１３】
本考案のもう一つの目的は、ペン軸の変化が多いペンの設計を提供するものである。前述のペン軸の前端又は後端の位置に嵌めて結び付ける弾性支える装置は、少なくとも一つの外部リング、一つの弾性ユニット及び一つの内部リングで構成される。それは、外部リングと内部リングとを相対的に嵌めさせ、その内部に一つの支える弾性ユニットを挟んで置くことで、二つのリングを押す場合、その弾性ユニットに支えられることを利用して、相対的の変位を生じさせるので、快速的にそれぞれの飾りリングの支える状態を解除できる。
【００１４】
本考案のさらにもう一つの目的は、ペン軸の変化が多いペンの設計を提供するものである。前述のペン軸に嵌めて設けられる各飾りリングの外観の形状が制限されない。例えば、円形リング（図の通り）、三角リング、正方形リング、多角リング、又はその他の規則的又は不規則などの形状を使っても良いのである。更に、その外周の壁に自由に選んだ色、符号、模様又は形状を設けることができる。又、その外部周辺の壁に嵌めるスロットを設けることで、各種の飾りブロックのマッチングに合わせて、飾りリングを構成する。
【００１５】
本考案のさらにもう一つの目的は、ペン軸の変化が多いペンの設計を提供するものである。その飾りリングの前、後端の内壁にそれぞれマッチングで対応する複数個のコンベックス歯及びコンケーブスロットを設けるので、その弾装置が支えを実施する場合、緊密に接続して嵌めることが出来ることを利用して、その支えることを解除してから、快速に離脱して分かれることができる。
【００１６】
本考案のさらにもう一つの目的は、ペン軸の変化が多いペンの設計を提供するものである。上述の飾りリングに爪車スロットが設けられ、その爪車スロットとリングの開口サイドに予め一つのリング隙間を設ける。又、そのペン軸がリング隙間と対応する位置に、一つ又は一つ以上のコンベックス歯又はコンベックスリングを予め設けてあるので、その弾装置が押される場合、そのリングの隙間とペン軸のコンベックス歯の位置を対応させることで、飾りリングの支える状態を解除でき、通常の時、そのコンベックス歯を爪車スロットに嵌めることで、ラッチして定位する。
【図面の簡単な説明】
【００１７】
【図１】本考案の第一実施例の分解立体図である。
【図２】本考案の第一実施例の組立立体図である。
【図３】本考案の第一実施例の飾りリングを回転するため、ペン軸を改めて組立てた後の立体図である。
【図４】本考案の第一実施例の飾りリングの立体図である。
【図５】本考案の第一実施例の飾りリングを逆様にする状態の立体図である。
【図６】本考案の第一実施例の飾りリングが緊密に支える状態を呈する断面図である。
【図７】本考案の第一実施例の飾りリングの支える状態を解除する断面図である。
【図８】本考案の第一実施例の飾りリングの分解立体図である。
【図９】本考案の第一実施例のもう一つの飾りリングの分解立体図である。
【図１０】本考案の第二実施例の飾りリングの実施例の立体図である。
【図１１】図１０を逆様にする状態の立体図である。
【図１２】本考案の第二実施例の組立局部断面図である。
【図１３】図１２の飾りリングの支える状態を解除する局部断面説明図である。
【図１４】本考案の第二実施例の弾性支える装置の局部断面説明図である。
【図１５】本考案の第三実施例の弾性支える装置の分解立体図である。
【図１６】図１５の実施例の組立局部断面説明図である。
【符号の説明】
【００１８】
１  ペン軸、２、２ａ  飾りリング、１１  ペンのキャップ、１２  ペンの芯、１２１  小さいスプリング、１３  ペンのキャップ、１３１  駆動ユニット、１４ａ  コンベックス歯、２１、２２  色分けした格子模様、２３  コンベックス歯、２４  コンケーブスロット、２５ａ、２５ｂ  嵌めるスロット、２６ａ、２６ｂ  飾りブロック、２７ａ  爪車スロット、３１、３１ａ  外部リング、３１１  内部に段差のある穴、３２  弾性ユニット、３３、３３ａ  内部リング、３４  嵌めるリング、Ａ  隙間、Ｂ  リング隙間
【図１】
0003113222.tif 000003
【図２】
0003113222.tif 000004
【図３】
0003113222.tif 000005
【図４】
0003113222.tif 000006
【図５】
0003113222.tif 000007
【図６】
0003113222.tif 000008
【図７】
0003113222.tif 000009
【図８】
0003113222.tif 000010
【図９】
0003113222.tif 000011
【図１０】
0003113222.tif 000012
【図１１】
0003113222.tif 000013
【図１２】
0003113222.tif 000014
【図１３】
0003113222.tif 000015
【図１４】
0003113222.tif 000016
【図１５】
0003113222.tif 000017
【図１６】
0003113222.tif 000018